(57)【特許請求の範囲】
【請求項１】
植物の栽培培地を支持する栽培台であって、
前記栽培培地を下方から支持し前記栽培培地から流出する養液を下方に流通させる支持部と、
前記支持部の下方に突出して設けられ前記栽培培地から流出する養液を集めて排出する下方樋部と、
前記支持部の幅方向の両端部のうち少なくとも一方の端部に設けられる側壁部と
を備え、
前記側壁部は、前記支持部の幅方向の両端部のうち少なくとも一方の端部から上方に直線状に延ばされた外壁面と、前記外壁面の上端部から前記幅方向の内方側に直線状に延ばされた天面部と、前記天面部の先端部から前記外壁面に対して平行に向けられて下方に直線状に延ばされた内壁面とを備え、
前記外壁面、前記天面部および前記内壁面により、前記栽培培地を加温または冷却する培地用配管を支持する配管支持スペースが矩形状に区画され、
前記内壁面の高さ寸法が前記外壁面の高さ寸法より短くされて前記配管支持スペースが下方から開放されており、当該下方から前記培地用配管が前記配管支持スペースに入れられて前記配管支持スペースの上端部において支持されるようになっている栽培台。
【請求項２】
前記支持部は、水平方向に向けられて平坦面とされた支持本体面を備え、
前記下方樋部は、幅寸法が下方にいくにしたがって漸次小さくされた傾斜部が設けられて前記支持本体面から下方に山状に突出している請求項１に記載の栽培台。
【請求項３】
請求項１または請求項２に記載の栽培台と、
前記配管支持スペースの上端部において支持された前記培地用配管と
を備える植物栽培温室。
【請求項４】
前記内壁面の下端部が、前記配管支持スペースの上端部において支持された前記培地用配管の下端部よりも下方に延ばされている請求項３に記載の植物栽培温室。
【請求項５】
前記栽培培地を備え、
前記外壁面の高さ寸法が、前記支持部によって支持された栽培培地の高さ方向の中央部よりも高く設定されており、
前記培地用配管が、前記配管支持スペースの上端部において前記中央部の高さ位置に配置されている請求項３または請求項４に記載の植物栽培温室。
【請求項６】
前記内壁面が、前記支持部によって支持された栽培培地の高さ方向の下方部に接触せず前記中央部に接触している請求項３から請求項５のいずれか一項に記載の植物栽培温室。
【請求項７】
前記養液を前記栽培培地に供給する養液供給管を備え、
前記養液供給管が、前記配管支持スペースの下端部に取り付けられている請求項３から請求項６のいずれか一項に記載の植物栽培温室。
【発明の詳細な説明】
【技術分野】
【０００１】
本発明は、栽培台およびこれを備える植物栽培温室に関する。
【背景技術】
【０００２】
従来、例えば植物栽培温室内において種々の植物の栽培が行われている（例えば、特許文献１参照）。そして、植物栽培室内において、植物の栽培培地を支持する支持台が利用されている。このような支持台としては、栽培培地が載置される載置面と、この載置面の幅方向の両端において外方に露出して設けられる樋とを備えるものが知られている。このような構成のもと、栽培培地から流出する養液が載置面を幅方向に伝わって樋へと流されて排出されていく。
【先行技術文献】
【特許文献】
【０００３】
【特許文献１】登録実用新案第３１９５４３４号公報
【発明の概要】
【発明が解決しようとする課題】
【０００４】
しかしながら、上記のような栽培台では、樋に集められた養液に塵埃が混ざってしまい流路が流れにくくなり漏水などの問題がある。
【０００５】
以上に鑑みて、本発明は、栽培培地から流出する養液を清潔かつ効率的に利用することができる栽培台およびこれを備える植物栽培温室を提供することを目的とする。
【課題を解決するための手段】
【０００６】
上記課題を解決するために、本発明は以下の手段を提供する。
本発明は、植物の栽培培地を支持する栽培台であって、前記栽培培地を下方から支持し前記栽培培地から流出する養液を下方に流通させる支持部と、前記支持部の下方に突出して設けられ前記栽培培地から流出する養液を集めて排出する下方樋部とを備える。
【発明の効果】
【０００７】
本願の一観点によれば、栽培培地から流出する養液を清潔かつ効率的に利用することができる。
【図面の簡単な説明】
【０００８】
【図１】本発明の実施形態としての栽培台およびこれを備える植物栽培温室を示す斜視図である。
【図２】図１の植物栽培温室の内部を示す平面図である。
【図３】図１の栽培台を示す斜視図である。
【図４】図３の栽培台の横断面を示す断面図である。
【図５】図３の栽培台の変形例を示す断面図である。
【発明を実施するための形態】
【０００９】
（実施形態）
以下、本発明の実施形態における植物栽培の土壌となる栽培培地を支持する栽培台およびこれを備える植物栽培温室について説明する。
図１は、本発明の実施形態としての栽培台１およびこれを備える植物栽培温室１００を示す斜視図である。
植物栽培温室１００は、温室本体部１０１と、配管システム１０２と、栽培台１とを備えている。
温室本体部１０１は、天井部１０１ａと、側壁部１０１ｂと、底面部１０１ｃとを備えている。これら天井部１０１ａと側壁部１０１ｂと底面部１０１ｃとによって区画される内方空間において、植物が栽培されるようになっている。
【００１０】
配管システム１０２は、図２に示すように、ヘッダ配管１０２ａと、蛇腹管１０２ｂと、レールパイプ１０２ｃと、Ｕ字管１０２ｄとを備えている。
ヘッダ配管１０２ａは、地面に設置されており、蛇腹管１０２ｂを介してレールパイプ１０２ｃに温湯を流通させるものである。
蛇腹管１０２ｂは、蛇腹状に形成されており、ヘッダ配管１０２ａおよびレールパイプ１０２ｃに連結されて、ヘッダ配管１０２ａとレールパイプ１０２ｃとの間で温湯を流通させるものである。
レールパイプ１０２ｃは、筒状部材が長手方向に複数連結されて構成されており、内方に温湯を流通させ、かつ不図示の園芸作業台車の移動用のレールとなるものである。
Ｕ字管１０２ｄは、平面視してＵ字状に形成されており、連結されたレールパイプ１０２ｃを折り返して連結するものである。
【００１１】
また、配管システム１０２は、培地用配管１０２ｅと、養液供給管１０２ｆとを備えている。
これら培地用配管１０２ｅおよび養液供給管１０２ｆは、筒状部材が長手方向に複数連結されて構成されており、天井部１０１ａから吊り下げられる栽培台１に支持されて地面に対して上方位置に設けられている。
培地用配管１０２ｅは、内方に温湯を流通させ、栽培台１に支持される栽培培地Ｂを加温するようになっている。
養液供給管１０２ｆは、内方に養液を流通させ、栽培台１に支持される栽培培地Ｂに養液を供給するようになっている。
【００１２】
また、栽培台１は、図３および図４に示すように、横断面が概略Ｕ字状に形成されて長手方向に延ばされた支持台本体部１ａが長手方向Ｄに複数連結されて構成されている。そして、栽培台１の長手方向Ｄの両端には、エンドキャップ５が取り付けられるようになっている。栽培台１は、天井部１０１ａから吊り具２０を介して吊り下げられており、地面に対して上方位置に設けられている。さらに、栽培台１は、その基端側を低く先端側を高くして傾斜して設けられている。
【００１３】
この栽培台１は、支持部２と、下方樋部３と、側壁部４とを備えている。
支持部２は、支持本体面２１と、網板部２２（載置面）とを備えている。
支持本体面２１は、水平方向に向けられた平坦面とされており、栽培台１の幅方向Ｗの両端部に設けられている。そして、支持本体面２１は、栽培台１の長手方向Ｄに延在して設けられている。
網板部２２は、ステンレスからなっており、メッシュ状かつ板状に形成されている。そして、網板部２２は、幅方向Ｗの両端部に設けられたそれぞれの支持本体面２１にわたって載置されており、長手方向Ｄに延在して設けられている。なお、網板部２２は、交換可能であって、載置された網板部２２がピックアップされることにより新たな網板部２２が載置されるようになっている。この網板部２２は、栽培培地Ｂが上面に載置されようになっており、栽培培地Ｂに養液が注入され植物が必要としない余剰量の養液を栽培培地Ｂから網の目を通して下方に流出させるようになっている。
【００１４】
下方樋部３は、それぞれの支持本体面２１にわたって下方に山状に突出して設けられており、長手方向Ｄに延在して設けられている。ここで、山状とは、幅寸法Ｗが下方にいくにしたがって漸次小さくなるような傾斜部３２が設けられていることをいう。さらに、下方樋部３の下端部３１は、水平に向けられた平坦面とされている。すなわち、下方樋部３は、それぞれの支持本体面２１の間において下方に逆台形状に突出して設けられている。これにより、下方樋部３の内方の容量を多くすることができ、より多くの養液を集めて排出することができるだけでなく、栽培台１を地面に安定的に載置することができるようになっている。なお、下方樋部３のうち、基端部には不図示の排出孔が形成されている。この下方樋部３は、栽培培地Ｂから流出して網板部２２を通して下方に落ちてくる養液を集めて排出するようになっている。
【００１５】
側壁部４は、それぞれの支持本体面２１から上方に延ばされており、長手方向Ｄに延在して設けられている。
この側壁部４は、横断面形状が概略矩形状に形成されている。すなわち、側壁部４は、外壁面４１（外壁部）と、天面部４２（天井部）と、内壁面４３（内壁部）とを備えており、これら外壁面４１、天面部４２および内壁面４３によって配管支持スペースＳが区画されている。
外壁面４１は、それぞれの支持本体面２１の幅方向Ｗの両端から上方に起ち上げられている。外壁面４１の高さ寸法４１ｈは、網板部２２に栽培培地Ｂが載置されたときに、栽培培地Ｂの高さ寸法の中央部ＢＭよりも高くなるように設定されている。それぞれの外壁面４１の上端には、互いに幅方向Ｗの内方側に折り返された天面部４２が設けられている。
天面部４２は、水平方向に向けられており、それぞれ同一の高さ位置に設定されている。天面部４２の幅方向Ｗの内方側の先端には、下方に折り返された内壁面４３が設けられている。
【００１６】
内壁面４３は、外壁面４１に対して平行に向けられている。内壁面４３の天面部４２から下方に延びる高さ寸法４３ｈは、外壁面４１の高さ寸法４１ｈよりも短くなっている。そのため、側壁部４の配管支持スペースＳが内方側の下方から開放されている。これにより、内壁面４３は、網板部２２に載置される栽培培地Ｂの側面のうち高さ方向の中央部ＢＭにのみ接触し、下方部ＢＬには接触しないようになっている。
また、配管支持スペースＳの上端部において、培地用配管１０２ｅが不図示の取り付け部によって取り付けられるようになっている。このとき、培地用配管１０２ｅが網板部２２の上面に載置される栽培培地Ｂの中央部ＢＭの高さ位置に配置されるようになっている。
また、内壁面４３の高さ寸法４３ｈは、培地用配管１０２ｅの外径寸法よりも長くなっている。そのため、培地用配管１０２ｅが配管支持スペースＳの上端部に取り付けられると、内壁面４３が培地用配管１０２ｅの側方を外方から覆うようになっている。
【００１７】
また、配管支持スペースＳの下端部には、養液供給管１０２ｆが不図示の取り付け部によって取り付けられるようになっている。養液供給管１０２ｆには、養液供給路１０２ｆ２が設けられ、養液供給路１０２ｆ２の先端には、養液供給部１０２ｆ１が設けられている。これら養液供給路１０２ｆ２および養液供給部１０２ｆ１は、養液供給管１０２ｆに長手方向Ｄにわたって間欠的に複数設けられている。
このような構成のもと、養液供給部１０２ｆ１が栽培培地Ｂの中に挿入されて、養液供給管１０２ｆから養液供給路１０２ｆ２を介して送られてくる養液を養液供給部１０２ｆ１から栽培培地Ｂ内に供給するようになっている。
なお、支持本体面２１、下方樋部３、外壁面４１、天面部４２および内壁面４３は、一体に形成されており、金属の板状部材が折り曲げられて形成されている。
【００１８】
次いで、栽培台１およびこれを備える植物栽培温室１００の動作について説明する。
植物栽培温室１００に、ヘッダ配管１０２ａ、蛇腹管１０２ｂ、レールパイプ１０２ｃおよびＵ字管１０２ｄ等が設置される。
そして、支持台本体部１ａが長手方向に連結されて地面に載置される。このとき、下方樋部３の下端部３１が平坦面であることから、安定的に地面に載置される。
さらに、側壁部４の内方側の下方から配管支持スペースＳ内に培地用配管１０２ｅが入れられ、この培地用配管１０２ｅが取り付け部によって配管支持スペースＳの上端部に取り付けられる。これにより、培地用配管１０２ｅの外周面が、内壁面４３の内面に接触するとともに、網板部２２の上面に載置される栽培培地Ｂの高さ寸法の中央部に配置される。
さらに、同様にして配管支持スペースＳ内に養液供給管１０２ｆが入れられ、この養液供給管１０２ｆが不図示の取り付け部によって配管支持スペースＳの下端部に取り付けられる。
【００１９】
そして、栽培台１の両端にエンドキャップ５が設置されて、網板部２２が支持本体面２１にわたって長手方向Ｄに複数載置される。
さらに、栽培台１が、培地用配管１０２ｅおよび養液供給管１０２ｆを支持したまま、天井部１０１ａから吊り具２０を介して吊り下げられる。このとき、栽培台１は、基端側を低くして先端側を高くして傾斜して吊り下げられた状態になる。
そして、網板部２２の上面に、栽培培地Ｂが長手方向Ｄに複数載置される。これにより、栽培培地Ｂの中央部ＢＭのみが内壁面４３に接触し、高さ方向の下方部ＢＬは内壁面４３に接触しない状態になるとともに、培地用配管１０２ｅが栽培培地Ｂの中央部ＢＭの高さ位置に配置される。さらに、下方樋部３の上方が栽培培地Ｂによって蓋をされた状態になる。
そして、複数の養液供給部１０２ｆ１が、栽培培地Ｂの内部に挿入される。
【００２０】
このような状態において、植物栽培温室１００の内方の温度に応じて、レールパイプ１０２ｃの内方に約４０℃〜８５℃の温湯を流通させることにより、植物栽培温室１００の内方の温度が適宜調整される。また、レールパイプ１０２ｃに不図示の園芸作業台車が走行し、芽欠きまたは葉欠きなどの栽培手入れ作業、果実の収穫作業、誘引作業、または摘果作業等を含む種々の園芸作業が行われる。
【００２１】
また、栽培培地Ｂの植物の生育に応じて、栽培培地Ｂの内部に以下のようにして養液が供給される。すなわち、養液供給管１０２ｆの先端側から内方に養液を送り込むと、複数の養液供給路１０２ｆ２を通って養液供給部１０２ｆ１から栽培培地Ｂの内部に養液が供給される。この養液は、栽培培地Ｂ内に広がっていき、一部は植物の肥料となる。他方、他の一部は、栽培培地Ｂ内において自重によって下方に落ちていき、栽培培地Ｂの底面から流出していく。この養液は、自重によって、網板部２２の網の目を通ってさらに下方に流通していく。網板部２２の下方には、下方樋部３が設けられていることから、下方に流通した養液は、下方樋部３の内方に集められていく。下方樋部３は、先端部から基端部に向かって低くなるように傾斜していることから、下方樋部３の内方に集められた養液は、下方樋部３の内方において、先端部から基端部に向かって流れていく。そして、下方樋部３の基端部に形成された排出孔を通って栽培台１から排出される。排出された養液は、回収され殺菌処理されて、さらに養液供給管１０２ｆに戻される。このようにして、養液は循環されて再利用される。
【００２２】
また、植物栽培温室１００の内方の温度に応じて、以下のようにして栽培培地Ｂの温度が調整される。すなわち、培地用配管１０２ｅの内方に約３０℃〜６０℃の温湯を流通させると、温湯からの熱が培地用配管１０２ｅを介して側壁部４に伝わっていく。内壁面４３に伝わった熱は、さらに栽培培地Ｂの側面に伝わっていく。このとき、内壁面４３は、栽培培地Ｂの中央部ＢＭのみに接触し、下方部ＢＬには接触していないことから、内壁面４３に伝わった熱が下方に逃げていくことなく、栽培培地Ｂの中央部ＢＭに効果的に伝わっていく。
また、温湯からの熱は、培地用配管１０２ｅから空気を介しても内壁面４３に伝わっていく。このとき、内壁面４３の高さ寸法４３ｈが培地用配管１０２ｅの外径寸法よりも長くなっていることから、温湯からの熱が培地用配管１０２ｅから空気を介して内壁面４３により多く伝わり、栽培培地Ｂにも効果的に伝わっていく。
【００２３】
以上より、本実施形態における栽培台１によれば、栽培培地Ｂを支持部２が下方から支持し、栽培培地Ｂから流出する養液を下方に流通させて、その養液を下方樋部３が集めて排出することから、養液をクリーンな状態に保つことができるだけでなく、養液を流れやすくすることができる。すなわち、栽培培地Ｂが支持部２によって下方から支持されることにより、下方樋部３の上方を栽培培地Ｂによって蓋をすることができることから、下方樋部３の内方に外方から塵埃が混入することを防止することができる。そのため、養液を清潔かつ効率的に利用することができる。
【００２４】
また、下方樋部３が支持部２の下方に山状に突出して設けられていることから、網板部２２から落ちてくる養液を傾斜部３２に案内させて下方樋部３の幅方向Ｗの中央部に集め易くすることができ、容易に排出することができる。
また、下方樋部３の下端部３１が平坦面とされていることから、同じ高さ寸法で三角形状に突出させるよりも、内方の容量を多くすることができるだけでなく、地面に安定的に載置することができる。
また、網板部２２が設けられていることから、栽培培地Ｂを支持することができるだけでなく、栽培培地Ｂから流出する養液を網の目を通して下方に容易に流通させることができる。
また、交換可能な網板部２２が支持本体面２１にわたって載置されることから、網板部２２を迅速かつ容易に設置および交換することができる。
【００２５】
また、側壁部４が培地用配管１０２ｅを支持することから、栽培培地Ｂを容易に加温することができる。
また、外壁面４１と内壁面４３との間において培地用配管１０２ｅが支持されることから、培地用配管１０２ｅを容易に取り付けることができる。
また、側壁部４が、外壁面４１、天面部４２および内壁面４３によって矩形状に区画されていることから、側壁部４の縁を滑らかにすることができるだけでなく、側壁部４の強度を上げることができる。さらに、矩形状に区画されていることにより、培地用配管１０２ｅを三方から覆うことができ、培地用配管１０２ｅ等が熱等により変形しても培地用配管１０２ｅを強固に支持することができる。
【００２６】
また、内壁面４３の高さ寸法４３ｈが、外壁面４１の高さ寸法４１ｈよりも短くなっており、配管支持スペースＳが開放されていることから、栽培培地Ｂの中央部ＢＭのみを内壁面４３に接触させ、下方部ＢＬを内壁面４３に接触させないようにすることができることから、培地用配管１０２ｅからの熱を下方に逃がすことなく中央部ＢＭに効果的に伝えることができる。また、配管支持スペースＳが開放されていることから、培地用配管１０２ｅおよび養液供給管１０２ｆを容易に設置することができるだけでなく、側壁部４の内面を容易に掃除することができる。
また、外壁面４１の高さ寸法４１ｈが、網板部２２によって支持される栽培培地Ｂの中央部ＢＭよりも高く設定され、配管支持スペースＳの上端部が中央部ＢＭの高さ位置に設定されていることから、培地用配管１０２ｅを配管支持スペースＳの上端部に配するだけで、中央部ＢＭの高さ位置に合わせて培地用配管１０２ｅを容易に設置することができる。
また、培地用配管１０２ｅが配管支持スペースＳの上端部において支持されることから、側壁部４の強度の高い箇所で培地用配管１０２ｅを強固に支持することができる。
【００２７】
また、内壁面４３の下端部が、配管支持スペースＳの上端部において支持される培地用配管１０２ｅの下端部よりも下方に延ばされることから、内壁面４３によって培地用配管１０２ｅの側方を覆うことができ、培地用配管１０２ｅの支持力を上げることができるだけでなく、培地用配管１０２ｅから伝わる熱を内壁面４３に伝えやすくすることができる。
また、本実施形態における植物栽培温室１００によれば、栽培台１の上記の効果を奏することができるだけでなく、培地用配管１０２ｅによって栽培培地Ｂの温度を調整することができ、養液供給管１０２ｆによって栽培培地Ｂに養液を供給することができる。
【００２８】
なお、本発明の技術範囲は上記の実施形態に限定されるものではなく、本発明の趣旨を逸脱しない範囲において、種々の変更を加えることが可能である。
例えば、下方樋部３が下方に山状に突出しているとしたが、これに限ることはなく、その構成は適宜変更可能である。具体的には、矩形状や丸状などその他の形状として下方に突出していてもよい。
また、下方樋部３の下端部３１が平坦面とされているとしたが、これに限ることはなく、その構成は適宜変更可能である。例えば、丸状などその他の形状であってもよい。または、図５に示すように、栽培台１Ａが下方樋部３Ａを備えていてもよい。下方樋部３Ａは、支持本体面２１の間において、下方に三角形状に突出している。すなわち、下方樋部３Ａの下端部３１Ａは下方に向けた凸形状とされている。なお、符号３２Ａは、傾斜部を示している。これにより、三角形状の頂点部に養液を集めることができ、容易に排出することができるだけでなく、下方樋部３Ａの製造を容易にすることができる。
【００２９】
また、網板部２２が設けられるとしたが、これに限ることはなく、その構成は適宜変更可能である。例えば、支持本体面２１が幅方向Ｗにわたって延在する平坦面であってもよい。その平坦面に、養液を流通させる貫通孔が設けられていてもよい。
また、側壁部４が幅方向Ｗの両端部に設けられるとしたが、これに限ることはなく、その構成は適宜変更可能である。例えば、側壁部４が、幅方向Ｗのいずれか一方の端部にのみ設けられていてもよい。または、側壁部４がいずれの端部にも設けられていなくてもよい。
また、側壁部４が外壁面４１、天面部４２および内壁面４３を備えるとしたが、これに限ることはなく、その構成は適宜変更可能である。例えば、外壁面４１のみであってもよいし、外壁面４１と天面部４２のみであってもよい。
また、側壁部４が培地用配管１０２ｅおよび養液供給管１０２ｆを支持するとしたが、培地用配管１０２ｅまたは養液供給管１０２ｆの少なくともいずれか一方が設けられなくてもよい。
【００３０】
また、内壁面４３の高さ寸法４３ｈが、外壁面４１の高さ寸法４１ｈよりも短くなっているとしたが、これに限ることはなく、高さ寸法４３ｈ，４１ｈが同一であってもよいし、高さ寸法４３ｈの方が長くなっていてもよい。
また、配管支持スペースＳが内方側において開放されているとしたが、これに限ることはなく、配管支持スペースＳは内方側に開放されていなくてもよい。
また、外壁面４１の高さ寸法４１ｈが、栽培培地Ｂの中央部ＢＭよりも高く設定されているとしたが、これに限ることはなく、高さ寸法４１ｈが中央部ＢＭよりも短く設定されていてもよいし、同じ高さ位置に設定されていてもよい。
また、培地用配管１０２ｅが、配管支持スペースＳの上端部において支持されるとしたが、これに限ることはなく、配管支持スペースＳの下端部において支持されてもよいし、中途部において支持されてもよい。
また、内壁面４３が、培地用配管１０２ｅの下端部よりも下方に延ばされているとしたが、これに限ることはなく、下端部と同一の高さ位置に延ばされていてもよいし、下端部より上方の高さ位置に延ばされていてもよい。
【００３１】
また、培地用配管１０２ｅが、配管支持スペースＳにおいて、内壁面４３に接触しているとしたが、これに限ることはなく、その構成は適宜変更可能である。例えば、外壁面４１、天面部４２または内壁面４３の少なくとも一つに接触していればよい。具体的には、外壁面４１および天面部４２に接触しておらず、内壁面４３のみに接触するようにしてもよい。これにより、培地用配管１０２ｅからの熱を内壁面４３に効果的に伝えることができる。また、培地用配管１０２ｅが、外壁面４１、天面部４２および内壁面４３のいずれにも接触していなくてもよい。
また、一方の天面部４２から下方樋部３の内面を覆うようにして、他方の天面部４２にわたって防水シートを設けてもよい。これにより、養液を効率的に回収することができる。
また、支持本体面２１、下方樋部３、外壁面４１、天面部４２および内壁面４３が、一体に形成されているとしたが、これに限ることはなく、別体の部材として連結されていてもよい。
また、支持本体面２１、下方樋部３、外壁面４１、天面部４２および内壁面４３が金属からなるとしたが、これに限ることはなく、その材料は適宜変更可能である。例えば、樹脂などであってもよい。
また、網板部２２がステンレスからなるとしたが、これに限ることはなく、その材料は適宜変更可能である。例えば、樹脂などであってもよい。
また、栽培台１が、天井部１０１ａから吊り下げられるとしたが、これに限ることはなく、その構成は適宜変更可能である。例えば、栽培台１が地面に設けられる設置装置によって下方から支持されていてもよい。
また、栽培台１から排出される養液を回収して再利用するとしているが、これに限ることはなく、再利用しなくてもよい。
また、植物栽培温室１００が、配管システム１０２を備えるとしているが、これに限ることはなく、この配管システム１０２は設けられていなくてもよい。例えば、ヘッダ配管１０２ａ、蛇腹管１０２ｂ、レールパイプ１０２ｃ、Ｕ字管１０２ｄ、培地用配管１０２ｅまたは養液供給管１０２ｆのうち少なくともいずれか一つが設けられていなくてもよい。具体的には、ヘッダ配管１０２ａ、蛇腹管１０２ｂ、レールパイプ１０２ｃおよびＵ字管１０２ｄが設けられていなくてもよい。または、培地用配管１０２ｅおよび養液供給管１０２ｆが設けられていなくてもよい。
また、レールパイプ１０２ｃおよび培地用配管１０２ｅに温湯が流通し地面や栽培培地Ｂを加温するとしたが、これに限ることはなく、冷水が流通し地面や栽培培地Ｂを冷却するようにしてもよい。
【００３２】
既述の実施形態に関し、さらに以下の付記を示す。
（付記１）
植物の栽培培地を支持する栽培台であって、
前記栽培培地を下方から支持し前記栽培培地から流出する養液を下方に流通させる支持部と、
前記支持部の下方に突出して設けられ前記栽培培地から流出する養液を集めて排出する下方樋部と
を備える栽培台。
【００３３】
（付記２）
前記下方樋部が、前記支持部の下方に山状に突出して設けられている付記１に記載の栽培台。
【００３４】
（付記３）
前記下方樋部の下端部が、平坦面とされている付記２に記載の栽培台。
【００３５】
（付記４）
前記支持部が、前記栽培培地が載置される網状の載置面を備える付記１から付記３に記載の栽培台。
【００３６】
（付記５）
前記支持部の幅方向の両端部のうち少なくとも一方の端部に設けられる側壁部を備え、
前記側壁部は、前記栽培培地を加温または冷却する培地用配管を支持する付記１から付記４のいずれか一項に記載の栽培台。
【００３７】
（付記６）
前記側壁部は、
前記支持部の幅方向の両端部のうち少なくとも一方の端部から上方に延ばされた外壁部と、
前記外壁部の上端部から前記幅方向の内方側に延ばされた天井部と、
前記天井部の先端部から下方に延ばされた内壁部とを備え、
前記外壁部と前記内壁部との間において前記培地用配管が支持される付記５に記載の栽培台。
【００３８】
（付記７）
前記内壁部の高さ寸法が前記外壁部の高さ寸法より短くなっており、
前記内壁部と前記外壁部との間のスペースが開放されている付記６に記載の栽培台。
【００３９】
（付記８）
前記外壁部の高さ寸法が、前記支持部によって支持される栽培培地の高さ方向の中央部よりも高く設定されており、
前記培地用配管が、前記外壁部と前記内壁部との間の上端部において前記中央部の高さ位置に配置される付記６または付記７に記載の栽培台。
【００４０】
（付記９）
前記内壁部の下端部が、前記外壁部と前記内壁部との間において支持される前記培地用配管の下端部よりも下方に延ばされている付記７または付記８に記載の栽培台。
【００４１】
（付記１０）
付記１から付記９のいずれか一項に記載の栽培台と、
前記培地用配管と、
前記養液を前記栽培培地に供給する養液供給管と
を備える植物栽培温室。
【符号の説明】
【００４２】
１，１Ａ    栽培台
２    支持部
３，３Ａ    下方樋部
４    側壁部
２２  網板部（載置面）
３１，３１Ａ  下端部
４１  外壁面（外壁部）
４１ｈ  高さ寸法
４２  天面部（天井部）
４３  内壁面（内壁部）
４３ｈ  高さ寸法
１０２ｅ  培地用配管
１０２ｆ  養液供給管
Ｂ    栽培培地
ＢＭ  中央部
Ｓ    配管支持スペース（スペース）
Ｗ    幅方向
【図１】
0006933845.tif 000002
【図２】
0006933845.tif 000003
【図３】
0006933845.tif 000004
【図４】
0006933845.tif 000005
【図５】
0006933845.tif 000006